(57)【要約】【課題】薄型軽量、通気性を有し、高弾性で、黄変又は変形が防止され、着用したときの弾性、柔軟性及び通気性に優れたカップパッドを成形するカップパッド構造を提供する。【解決手段】カップパッド構造は、カップパッド３０を備える。前記カップパッド３０は、サンド外層３１と、サンド内層３２と、前記サンド外層３１と前記サンド内層３２とにより挟まれた複数のサンド中間挟層３３とを有する。前記サンド中間挟層３３は、カップの模型及び深さに応じて多層状で前記サンド外層３１と前記サンド内層３２との内側に挟持して形成され、前記カップの金型によりプレス成形して前記カップパッド３０を一体成形し、前記カップパッド３０の周辺を圧着し、バストを押さえつける適宜な柔軟性を有する外縁を有する。【選択図】図２
0003215876.tif 000002
【実用新案登録請求の範囲】
【請求項１】
カップパッドを備えたカップパッド構造であって、
前記カップパッドは、サンド外層と、サンド内層と、前記サンド外層と前記サンド内層とにより挟まれた複数のサンド中間挟層と、を有し、
前記サンド中間挟層は、カップの形態及び深さに応じて多層状で前記サンド外層と前記サンド内層との内側に挟持して形成され、前記カップの金型によりプレス成形して前記カップパッドを一体成形し、前記カップパッドの周辺を圧着し、バストを押さえつける適宜な柔軟性を有する外縁を有し、下部バストに弾性凸弧面が形成され、バストを上方へ集めて高く支える受け部は、前記複数のサンド中間挟層を多層で密着させて前記サンド外層と前記サンド内層との間に多層の弾性層を形成し、立体で適宜な厚さに成形し、薄型軽量で、高い通気性及び弾性を有し、黄変又は変形が防止され、安定性が高いカバー・支持効果を有し、ユーザが着用する際、高い柔軟性、弾性及び通気性を有するため快適に着用し得ることを特徴とするカップパッド構造。
【請求項２】
前記カップパッドの前記サンド外層には、カスタマイズされた様々なパターンが印刷されることを特徴とする請求項１に記載カップパッド構造。
【請求項３】
前記カップパッドの前記サンド中間挟層は、複数の長片状体及び短片状体が多数の挟層に当接されて前記サンド外層と前記サンド内層との内側に形成され、所定の支持深さを有するカップ模型をプレス成形により一体成形し、下部が厚めの前記カップパッドを形成することを特徴とする請求項１に記載カップパッド構造。
【請求項４】
前記カップパッドの前記サンド中間挟層は、前記サンド内層及び前記サンド外層と同じ寸法のシート材に直接カット成形し、多層の挟層を前記サンド外層と前記サンド内層との内側に形成し、プレス成形により前記カップパッドを一体成形し、薄型の前記カップパッドを形成することを特徴とする請求項１に記載カップパッド構造。
【考案の詳細な説明】
【技術分野】
【０００１】
本考案は、カップパッド構造に関するもので、さらに詳しくは、サンド内層、サンド外層により挟合したサンド中間挟層の多層の密着されたサンド層により、薄型軽量、通気性を有し、高弾性で、黄変又は変形が防止され、着用したときの弾性、柔軟性及び通気性に優れたカップパッドを成形するカップパッド構造に関するものである。
【背景技術】
【０００２】
図６に示すように、従来のカップパッド１０は、サンド外層１１、サンド内層１２及び中間挟層がスポンジ又はコットンからなる弾性綿挟層１３を有する。サンド内層１２とサンド外層１１とにより挟まれたスポンジ又はコットンからなる中間挟層の弾性綿挟層１３構造をプレス成形によりカップパッドが一体成形されていたため、通気性が低い上に全体の弾性触感が好ましくなかったため、着用した者は常に暑苦しく感じたり蒸れて不快に感じたりし、カップを複数回洗浄すると、スポンジ挟層が黄変したり変質したりし、いつの間にか着用時の美感が損なわれ、一定期間着用した後、カップのスポンジ挟層が水で揉み洗いされると、変形したり襞が発生したりする欠点があり、バストを支えて覆う効果に悪影響を与える虞があった。
【考案の概要】
【考案が解決しようとする課題】
【０００３】
従って、本考案の課題は、カップパッドが薄型軽量で、高い弾性及び通気性を有し、立体で適宜な厚さの下部厚型の形状に成形され、耐水洗性を有し、水で洗浄した後でも黄変したり変形したりすることが防止され、ユーザが着用する際、高い弾性及び通気性を有するため着用したとき快適に感じるカップパッド構造を提供することにある。
【０００４】
また、本考案のもう一つの課題は、プレス成形によりカップの金型が一体成形され、薄型のカップパッドが形成され、カップパッドが薄型軽量で、高い弾性及び通気性を有し、立体で適宜な厚さの下部厚型カップパッドの形状に成形されたカップパッド構造を提供することにある。
【課題を解決するための手段】
【０００５】
そこで、本考案者は、前記の本考案の課題を解決するため、鋭意検討を重ねた結果、従来のように、複数の長さがバラついたサンド中間挟層を多層状でサンド外層とサンド内層との内側に挟持し、カップの金型によりプレス形成することのより、前記課題を解決できる点に着目し、かかる知見に基いて本考案を想到するに至った。
【０００６】
すなわち、本考案の主な目的によれば、複数の長さがバラついたサンド中間挟層を多層状でサンド外層とサンド内層との内側に挟持し、カップの金型によりプレス成形してカップパッドを一体成形し、カップパッドを薄型軽量で、高い弾性及び通気性を有し、立体で適宜な厚さの下部厚型カップパッドの形状に成形し、耐水洗性を有し、水で洗浄した後でも黄変したり変形したりすることを防ぎ、ユーザが着用する際、高い弾性及び通気性を有するため着用したとき快適に感じるカップパッド構造を提供することにある。
【０００７】
本考案のもう一つの目的によれば、サンド内層及びサンド外層と同じ寸法の複数層のサンド中間挟層は、多層の挟層が当接されたサンド内層とサンド外層との内側に形成され、プレス成形によりカップの金型を一体成形し、薄型のカップパッドを形成し、カップパッドが薄型軽量で、高い弾性及び通気性を有し、立体で適宜な厚さの下部厚型カップパッドの形状に成形されたカップパッド構造を提供することにある。
【０００８】
かくして、本考案の要旨は、次の（１）〜（４）に記載の通りである。
（１）カップパッドを備えたカップパッド構造であって、
前記カップパッドは、サンド外層と、サンド内層と、前記サンド外層と前記サンド内層とにより挟まれた複数のサンド中間挟層と、を有し、
前記サンド中間挟層は、カップの形態及び深さに応じて多層状で前記サンド外層と前記サンド内層との内側に挟持して形成され、前記カップの金型によりプレス成形して前記カップパッドを一体成形し、前記カップパッドの周辺を圧着し、バストを押さえつける適宜な柔軟性を有する外縁を有し、下部バストに弾性凸弧面が形成され、バストを上方へ集めて高く支える受け部は、前記複数のサンド中間挟層を多層で密着させて前記サンド外層と前記サンド内層との間に多層の弾性層を形成し、立体で適宜な厚さに成形し、薄型軽量で、高い通気性及び弾性を有し、黄変又は変形が防止され、安定性が高いカバー・支持効果を有し、ユーザが着用する際、高い柔軟性、弾性及び通気性を有するため快適に着用し得ることを特徴とするカップパッド構造。
【０００９】
（２）前記カップパッドの前記サンド外層には、カスタマイズされた様々なパターンが印刷されることを特徴とする前記（１）に記載カップパッド構造。
【００１０】
（３）前記カップパッドの前記サンド中間挟層は、複数の長片状体及び短片状体が多数の挟層に当接されて前記サンド外層と前記サンド内層との内側に形成され、所定の支持深さを有するカップ模型をプレス成形により一体成形し、下が厚めの前記カップパッドを形成することを特徴とする前記（１）に記載カップパッド構造。
【００１１】
（４）前記カップパッドの前記サンド中間挟層は、前記サンド内層及び前記サンド外層と同じ寸法のシート材に直接カット成形し、多層の挟層を前記サンド外層と前記サンド内層との内側に形成し、プレス成形により前記カップパッドを一体成形し、薄型の前記カップパッドを形成することを特徴とする前記（１）に記載カップパッド構造。
【考案の効果】
【００１２】
本考案は、前記の通りの構成からなるものであり、高い通気性及び弾性を有する層からなるカップを形成させ、多重の弾性立体を形成させることができる。安定性に優れたカバー支持効果を有し、薄型軽量で快適に着用することができる。
【図面の簡単な説明】
【００１３】
【図１】図１は、本考案の一実施形態に係るカップパッド構造を示す斜視図である。
【図２】図２は、本考案の一実施形態に係るカップパッド構造を示す断面図である。
【図３】図３は、図２の通気状態を示す部分拡大図である。
【図４】図４は、本考案の一実施形態に係るカップパッド構造の外表層を示す説明図である。
【図５】図５は、本考案の他の実施形態に係るカップパッド構造を示す断面図である。
【図６】図６は、従来のサンドカップ部を示す断面図である。
【考案を実施するための形態】
【００１４】
まず、図１を参照する。図１は、本考案の一実施形態に係るカップパッド構造を示す斜視図である。図１に示すように、本考案の一実施形態に係るカップパッド構造は、カップパッド３０を備える。カップパッド３０は、サンド外層３１と、サンド内層３２と、サンド外層３１とサンド内層３２とにより挟まれ、カット成形された複数のサンド中間挟層３３と、を有する。サンド中間挟層３３は、カップの形態及び深さに応じてカット成形された複数の長片状体３３１及び短片状体３３２からなり、カット成形されたサンド中間挟層３３は、長さがバラついた長片状体３３１と短片状体３３２とが当接され、多層の挟層を当接させてサンド外層３１とサンド内層３２との内側に形成し、所定の支持深さのカップ模型をプレス成形により一体成形して下が厚めのカップパッド３０を形成し、カップパッドの周辺を圧着し、バストを押さえつける適宜な柔軟性を有する外縁を有し、サンド内層３２の内表層３２１には、乳房の下部に対応した箇所に弾性凸弧面が形成され、バストを上方へ集中させて支える下が厚めの受け部３２２は、複数層のサンド中間挟層３３の各層が高い通気性を有し、多層の長さがバラつき、互いに支えて当接されたサンド外層３１とサンド内層３２との内側に複数の間隙が形成されるとともに、サンド内層３２、サンド外層３１及び各サンド中間挟層３３の各層の高い通気性により、高い通気性及び弾性を有する層からなるカップを形成し、サンド中間挟層３３とサンド外層３１とサンド内層３２とを結合して多重の弾性立体で適宜な厚さを有する形状に成形され、高い通気性、弾性及び耐水洗性を有し、水で洗浄した後でも黄変したり変形したりすることを防ぎ、安定性が高いカバー・支持効果を得て、ユーザが着用する際、薄型軽量で軟らかく、高い弾性及び通気性を有するため着用したときでも快適である。
【００１５】
図４を参照する。図４に示すように、上述したサンド外層３１の外表層３１１をサンド外層３１に縫着し、外表層３１１上に一体化されて縫着された図柄層（Ａ）を有するか、カップ金型の模型に応じて図案を設計し、各種造形の深さを有するカップをプレス成形してもよい。
【００１６】
図５を参照する。図５に示すように、本考案の他の実施形態に係るカップパッド構造はカップパッド４０を備える。カップパッド４０は、サンド外層４１と、サンド内層４２と、サンド外層４１とサンド内層４２とにより挟まれ、カット成形された複数のサンド中間挟層４３と、を有する。サンド中間挟層４３は、サンド内層４２及びサンド外層４１と同じ寸法のシート材に直接カット成形され、カットされた複数層のサンド中間挟層４３は、多層の挟層を当接させてサンド外層４１とサンド内層４２との内側に形成し、カップパッドをプレス成形して薄型のカップパッド４０を一体成形し、カップパッドをプレス成形により一体成形し、サンド内層４２の内表層４２１を対応させて乳房の形状に密着させることができる弾性円弧面を有する薄型カップを形成し、サンド外層４１及びサンド内層４２と、複数層のサンド中間挟層４３の各層のサンド層とは、高い柔軟性、弾性及び通気性を有し、一体化して結合し、多重の弾性立体の薄いカップ成形を得て、高い通気性、弾性及び耐水洗性を有し、水で洗浄しても黄変したり変形したりすることがないカップであり、安定性に優れたカバー・支持効果を有し、ユーザが着用する際、薄型軽量で軟らかく、高い弾性及び通気性を有するため快適に着用できる。
【００１７】
上述したサンド外層４１の外表層４１１にサンド外層４１が縫着されると、カスタマイズされた様々な模様又はカップ金型の模型パターンが印刷され、各種造形の深さを有するカップをプレス成形するひな型が成形される。
【符号の説明】
【００１８】
１０  カップパッド
１１  サンド外層
１２  サンド内層
１３  弾性綿挟層
３０  カップパッド
３１  サンド外層
３２  サンド内層
３３  サンド中間挟層
４０  カップパッド
４１  サンド外層
４２  サンド内層
４３  サンド中間挟層
３１１  外表層
３２１  内表層
３２２  受け部
３３１  長片状体
３３２  短片状体
４１１  外表層
４２１  内表層
【図１】
0003215876.tif 000003
【図２】
0003215876.tif 000004
【図３】
0003215876.tif 000005
【図４】
0003215876.tif 000006
【図５】
0003215876.tif 000007
【図６】
0003215876.tif 000008